(57)【要約】【解決手段】  透析液回路４には、供給室１１ａと回収室１１ｂとを備えた第１透析液チャンバ１１と、供給室１２ａと回収室１２ｂとを備えた第２透析液チャンバ１２が配置されている。制御手段５が透析液回路４内の所要位置の開閉弁を開閉させることにより、上記両チャンバ１１、１２の動作を交互に切り替えて、透析器２に透析液を供給するとともに使用済み透析液を回収するようになっている。圧力検出器２３によって検出される圧力は常時制御手段５に入力されている。  制御手段５は、第１透析液チャンバ１１と第２透析液チャンバ１２の間で動作が切り替えられた際の、圧力検出器２３から入力される圧力変動に基づいて透析治療中の動作異常を検出して、警報信号を出力する。【効果】  透析治療中の動作異常を確実に検出できる。【選択図】  図４
2016083307.tif 000002
【特許請求の範囲】
【請求項１】
透析器に供給する新鮮な透析液を収容する供給室および透析器を経て回収される使用済み透析液を収容する回収室を備えた透析液収容容器を２つ備えるとともに、これら２つの透析液収容容器毎に、供給室に新鮮な透析液を給液する給液通路と、この給液通路を開閉する開閉弁と、供給室から透析器に新鮮な透析液を供給する供給通路と、この供給通路を開閉する開閉弁と、透析器を経て回収される使用済み透析液を回収室に回収させる回収通路と、この回収通路を開閉する開閉弁と、回収室から使用済み透析液を排液させる排液通路と、この排液通路を開閉する開閉弁を備え、
一方の透析液収容容器において新鮮な透析液を供給室に給液するとともに使用済み透析液を回収室から排液させる間に、他方の透析液収容容器において供給室から透析器に新鮮な透析液を供給するとともに使用済み透析液を回収室に回収させ、これら一方と他方の動作を各透析液収容容器に対応した開閉弁を開閉させることにより交互に行うようにした血液透析装置において、
透析器を経て透析液収容容器の供給室から回収室に至る透析液回路に回路内の圧力を検出する圧力検出器を備えるとともに、この圧力検出器の検出結果を認識する制御手段を備え、該制御手段は、一方の透析液収容容器から他方の透析液収容容器へ動作が切り替わった際の圧力変動を認識し、該圧力変動幅が許容範囲を逸脱した場合に警報信号を出力することを特徴とする血液透析装置。
【請求項２】
上記制御手段は、一方の透析液収容容器から他方の透析液収容容器へ動作が切り替わった際の圧力の減少幅が、許容範囲を逸脱した場合に警報信号を出力することを特徴とする請求項１に記載の血液透析装置。
【請求項３】
上記制御手段は、一方の透析液収容容器から他方の透析液収容容器へ動作が切り替わった際の圧力の増加幅が、許容範囲を逸脱した場合に警報信号を出力することを特徴とする請求項１に記載の血液透析装置。
【発明の詳細な説明】
【技術分野】
【０００１】
本発明は血液透析装置に関し、より詳しくは、透析液回路の圧力変動に基づいて、透析治療中の動作異常を検出できるようにした血液透析装置に関する。
【背景技術】
【０００２】
従来より血液透析装置においては、新鮮な透析液を収容する供給室と使用済み透析液を収容する回収室が形成された２つの透析液収容容器を備えており、透析治療中は、一方の透析液収容容器と他方の透析液収容容器において透析器に対する透析液の給排動作を交互に切り替えるようになっている。この動作の切り替えは、透析液収容容器に対応して設けた開閉弁の開閉状態を異ならせることで行われている。それによって、透析器に対して透析液を連続的に供給する一方、透析器から使用済みの透析液を連続的に回収するようになっており、また、除水ポンプを備えて血液中から所定量の除水を行うようになっている（特許文献１）。
【先行技術文献】
【特許文献】
【０００３】
【特許文献１】特許第３９３３５１２号公報
【発明の概要】
【発明が解決しようとする課題】
【０００４】
ところで、従来の血液透析装置においては、一方から他方の透析液収容容器に動作を切り替える際に、電磁的に作動する開閉弁に個体差による作動不良が発生して閉鎖タイミングが遅れる場合があり、この場合には透析液収容容器における正常な給排動作が行われず、除水誤差を引き起こす原因となっていた。このような開閉弁の作動遅れに起因する誤差は、１回あたりは軽微な量であるが、数時間に及ぶ透析治療が終了した時点においては、目標とする除水量との差が大きくなり、気付かずに放置しておくと意図した治療が行われないため、患者に与える影響が大きいという問題があった。
【課題を解決するための手段】
【０００５】
上述した事情に鑑み、本発明は、透析器に供給する新鮮な透析液を収容する供給室および透析器を経て回収される使用済み透析液を収容する回収室を備えた透析液収容容器を２つ備えるとともに、これら２つの透析液収容容器毎に、供給室に新鮮な透析液を給液する給液通路と、この給液通路を開閉する開閉弁と、供給室から透析器に新鮮な透析液を供給する供給通路と、この供給通路を開閉する開閉弁と、透析器を経て回収される使用済み透析液を回収室に回収させる回収通路と、この回収通路を開閉する開閉弁と、回収室から使用済み透析液を排液させる排液通路と、この排液通路を開閉する開閉弁を備え、
一方の透析液収容容器において新鮮な透析液を供給室に給液するとともに使用済み透析液を回収室から排液させる間に、他方の透析液収容容器において供給室から透析器に新鮮な透析液を供給するとともに使用済み透析液を回収室に回収させ、これら一方と他方の動作を各透析液収容容器に対応した開閉弁を開閉させることにより交互に行うようにした血液透析装置において、
透析器を経て透析液収容容器の供給室から回収室に至る透析液回路に回路内の圧力を検出する圧力検出器を備えるとともに、この圧力検出器の検出結果を認識する制御手段を備え、該制御手段は、一方の透析液収容容器から他方の透析液収容容器へ動作が切り替わった際の圧力変動を認識し、該圧力変動幅が許容範囲を逸脱した場合に警報信号を出力するようにしたものである。
【発明の効果】
【０００６】
上述した構成によれば、透析治療中の動作異常を確実に検出することができる。
【図面の簡単な説明】
【０００７】
【図１】本発明の一実施例を示す血液透析装置の液回路を示す図。
【図２】図１の液回路の動作状態を示す図。
【図３】図２から動作が切り替わった状態を示す図。
【図４】開閉弁に作動不良が生じた状態を示す図。
【図５】開閉弁の構成を示す断面図であり、図５（ａ）は閉鎖状態を示しており、図５（ｂ）は開放状態を示している。
【図６】図１の液回路内の圧力変動を示す図。
【発明を実施するための形態】
【０００８】
以下、図示実施例について本発明を説明すると、図１において１は血液透析を行うための血液透析装置に備えられた液回路を示し、この液回路１は、血液透析を行う透析器２と、この透析器２に接続された血液回路３と、上記透析器２に接続された透析液回路４と、血液透析装置全体の作動を制御する制御手段５を備えている。
【０００９】
上記血液回路３は、透析器２に接続された動脈側通路６と静脈側通路７とから構成されており、動脈側通路６には血液を送液する血液ポンプ８が設けられている。この血液ポンプ８を作動させることにより、動脈側通路６を介して患者から血液を透析器２に送り、静脈側通路７を介して患者に戻すようになっている。
上記透析液回路４は、透析液を給排する２つの同形の第１透析液チャンバ１１および第２透析液チャンバ１２と、上記第１、第２透析液チャンバ１１、１２に新鮮な透析液を給液する給液通路１３と、第１、第２透析液チャンバ１１、１２から新鮮な透析液を透析器２に供給する供給通路１４と、透析器２を通過した使用済み透析液を第１、第２透析液チャンバ１１、１２に回収する回収通路１５と、第１、第２透析液チャンバ１１、１２から使用済みの透析液を排液する排液通路１６とを備えている。
透析器２は、多数の中空糸膜とこの中空糸膜を収容するハウジングとから構成され、中空糸の内側を血液が流通し、外側を逆方向に透析液が流通することで、血液中の老廃物が透析液側に移動して除去されるようになっている。
【００１０】
上記給液通路１３の下流端は第１、第２透析液チャンバ１１、１２に向けて分岐するとともに、その分岐部分にはそれぞれ制御手段５によって開閉される給液弁Ｖ１ａ、Ｖ３ａが設けられている。
上記供給通路１４の上流端は第１、第２透析液チャンバ１１、１２に向けて分岐するとともに、分岐部分にはそれぞれ制御手段５によって開閉される供給弁Ｖ１ｂ，Ｖ３ｂが設けられている。
上記回収通路１５の下流端は第１、第２透析液チャンバ１１、１２に向けて分岐するとともに、分岐部分にはそれぞれ制御手段５によって開閉される回収弁Ｖ２ａ、Ｖ４ａが設けられている。
上記排液通路１６の上流端は第１、第２透析液チャンバ１１、１２に向けて分岐するとともに、分岐部分にはそれぞれ制御手段５によって開閉される排液弁Ｖ２ｂ、Ｖ４ｂが設けられている。
また上記供給通路１４の下流端および回収通路１５の上流端は透析器２に接続されている。
【００１１】
第１透析液チャンバ１１および第２透析液チャンバ１２の内部は２枚のダイアフラムによって区画され、新鮮な透析液が収容される供給室１１ａ，１２ａと、使用済み透析液が収容される回収室１１ｂ、１２ｂと、これらの間に形成された中間室１１ｃ、１２ｃが形成されており、透析液収容容器として構成されている。
上記中間室１１ｃ、１２ｃの内部にはシリコーンオイルを充満させてあり、各中間室１１ｃ、１２ｃには、一方から他方へシリコーンオイルを送液して容積を増減させる除水ポンプとしてのオイルポンプ１７が接続されている。オイルポンプ１７は制御手段５によって作動を制御されるようになっており、制御手段５はオイルポンプ１７の作動を制御して各中間室１１ｃ、１２ｃの容積を増減させることにより、回収室１１ｂ、１２ｂの容積が増減されるようになっている。
このような第１透析液チャンバ１１に対応する開閉弁として、上記給液弁Ｖ１ａ、供給弁Ｖ１ｂ、回収弁Ｖ２ａ、排液弁Ｖ２ｂが備えられ、第２透析液チャンバ１２に対応する開閉弁として、上記給液弁Ｖ３ａ、供給弁Ｖ３ｂ、回収弁Ｖ４ａ、排液弁Ｖ４ｂが備えられている。
【００１２】
上記給液通路１３には、図示しない透析液供給装置から供給された新鮮な透析液を送液する給液ポンプ２１が設けられており、この給液ポンプ２１の上流側には制御手段５によって開閉される開閉弁Ｖ５が設けられている。
上記供給通路１４の途中には、透析液中の細菌やエンドトキシンを捕捉して透析液を浄化する浄化フィルタ２２が設けられており、この浄化フィルタ２２は、多数の中空糸膜とこの中空糸膜を収容するハウジングとから構成されている。透析治療中においては、上記供給通路１４を流通する透析液が浄化フィルタ２２内を通過することにより透析液中の細菌やエンドトキシンが捕捉されるようになっている。
【００１３】
上記回収通路１５には、その上流端から順に、制御手段５によって開閉される開閉弁Ｖ６と、透析器２から使用済み透析液を送液する回収ポンプ２４と、除気槽２５とが設けられ、回収ポンプ２４の上流側に、第１透析液チャンバ１１および第２透析液チャンバ１２の供給室１１ａ、１２ａから回収室１１ｂ、１２ｂに至る供給通路１４および回収通路１５からなる透析液回路内の圧力を検出する圧力検出器２３が設けられている。
そして、上記排液通路１６には、上記分岐部分よりも下流側に開閉弁Ｖ７が設けられている。開閉弁Ｖ７の隣接上流位置となる排液通路１６と上記除気槽２５とにわたって排気通路２６が設けられており、この排気通路２６には開閉弁Ｖ８が設けられている。上記開閉弁Ｖ６、Ｖ７、Ｖ８は制御手段５によって開閉作動を制御されるようになっている。
圧力検出器２３が検出した圧力は上記制御手段５に入力されるようになっており、後に詳述するが、本実施例の制御手段５は認識される圧力変動に基づいて、上記２つの透析液収容容器の一方から他方へ動作が切り替った際の動作不良を検出し、警報信号を出力するようになっている。
圧力検出器２３の隣接上流位置となる回収通路１５と、浄化フィルタ２２の未濾過液排出口２２Ａとにわたってバイパス通路２７が設けられており、このバイパス通路２７には開閉弁Ｖ９が設けられている。この開閉弁Ｖ９も制御手段５によって開閉作動を制御されるようになっている。
患者に対する透析治療中においては、制御手段５は、透析液回路４に配置された各ポンプ１７、２１，２４及び開閉弁Ｖ５〜Ｖ９の作動を制御して、一方の透析液チャンバにおいて新鮮な透析液を供給室に給液するとともに、使用済み透析液を回収室から排液させ、他方の透析液チャンバにおいて供給室から透析器２に新鮮な透析液を供給するとともに、使用済み透析液を回収室に回収させるようになっており、両透析液チャンバ１１，１２に対応した各給液弁Ｖ１ａ、Ｖ３ａ、供給弁Ｖ１ｂ、Ｖ３ｂ、回収弁Ｖ２ａ、Ｖ４ａ、および排液弁Ｖ２ｂ、Ｖ４ｂの開閉を制御することにより、透析液チャンバの一方と他方の動作を交互に切り替えるようになっている。
【００１４】
上記透析液回路４に設けられた各開閉弁は同じ構成となっており、作動されない状態では閉鎖される構成となっている。図５（ａ）（ｂ）は、開閉弁の構成を示しており、（ａ）は閉鎖状態を（ｂ）は開放状態を示している。この図５に示すように、開閉弁は、下方側に位置して液通路３１Ａ、弁座３１Ｂ及び弁体３１Ｃが設けられるバルブボディ３１と、バルブボディ３１の上面に連結された略円筒状のケーシング３２と、上記弁体３１Ｃを昇降させるプランジャ３３と、このプランジャ３３を常時下方に向けて付勢するばね３４と、上記プランジャ３３をばね３４に抗して上昇させる電磁コイル３５と、ケーシング３２を閉鎖する閉鎖部材３６とを備え、通電することにより液通路３１Ａを開放する常時閉式（ノーマルクローズドタイプ）の電磁弁として構成されている。
ケーシング３２内に電磁コイル３５が収容されており、その内周側にプランジャ３３が昇降可能に収容されている。プランジャ３３は、環状ガイド３７に案内されて昇降されるようになっている。閉鎖部材３６とその下方側のプランジャ３３とにわたってばね３４が弾装されているので、プランジャ３３は常時弁体３１Ｃを弁座３１Ｂに押し付ける方向に向けて付勢されている。
プランジャ３３の下端部は弁体３１Ｃに連結されており、弁体３１Ｃはダイアフラム３１Ｄの中央に形成されている。ダイアフラム３１Ｄはバルブボディ３１の上面中央に形成された凹部３１Ｅを覆うようにして、その周縁部がバルブボディ３１とケーシング３２に挟まれて保持されている。電磁コイル３５が励磁されていない状態では、プランジャ３３がばね３４によって付勢されているため、弁体３１Ｃは上記凹部３１Ｅの底面に形成した弁座３１Ｂに着座して液通路３１Ａが遮断されるようになっている（図５（ａ）の状態）。  
これに対して、所要時に制御手段５が電磁コイル３５を励磁させると、ばね３４の付勢力に抗してプランジャ３３が移動されるので、弁体３１Ｃが弁座３１Ｂから離隔するようになっている（図５（ｂ））。これにより、バルブボディ３１に形成した凹部３１Ｅを介して液通路３１Ａが連通し、液体を流通させるようになっている。
また、図５（ｂ）に示す開放状態から制御手段５が電磁コイル３５の励磁を停止させると、ばね３４によってプランジャ３３が付勢されて弁体３１Ｃが弁座３１Ｂに着座し、液通路３１Ａが再度遮断されるようになっている（図５（ａ））。なお、このような電磁式の開閉弁の構成は従来公知である。
【００１５】
上記構成に基づく液回路１による患者に対する透析治療中においては、制御手段５は、一方の第１透析液チャンバ１１による透析器２に対する透析液の給排動作と、他方の第２透析液チャンバ１２による透析器２に対する透析液の給排動作とを交互に切り替えることにより、透析器２に連続的に透析液を供給し回収するようになっている。
より詳細には、図２に示すように、給液通路１３の開閉弁Ｖ５を開放させるとともに給液ポンプ２１を作動させ、また、排液通路１６の排液側となる開閉弁Ｖ７を開放させるとともに、回収通路１５の開閉弁Ｖ６を開放させて回収ポンプ２４を作動させる。これとともに、血液ポンプ８を作動させて血液回路３及び透析器２に血液を流通させる。
また、第１透析液チャンバ１１に対応する供給弁Ｖ１ｂと回収弁Ｖ２ａを開放させるとともに、第２透析液チャンバ１２に対応する給液弁Ｖ３ａと排液弁Ｖ４ｂを開放させる。
この状態では、第１透析液チャンバ１１の供給室１１ａが供給通路１４に、回収室１１ｂが回収通路１５にそれぞれ接続され、これにより、図２に太線で示すように、透析器２を経由する閉回路が形成される。この閉回路において回収ポンプ２４が作動することにより、第１透析液チャンバ１１の供給室１１ａ内の透析液は供給通路１４を介して透析器２へ供給されるとともに、透析器２内を通過した使用済みの透析液は回収回路１５を介して第１透析液チャンバ１１の回収室１１ｂに回収される。この状態においては、透析器２の中空糸膜を介して透析液側の圧力が血液側よりも低くなっており、さらにオイルポンプ１７によって第１透析液チャンバ１１の中間室１１ｃのシリコーンオイルを、第２透析液チャンバ１２の中間室１２ｃに移動させることにより、回収室１１ｂの容積が増大され、これに見合う量の水分が血液中から除水される。なお、図２に点線で示すように、この間に第２透析液チャンバ１２の供給室１２ａに給液通路１３が接続されて透析液が給液されるとともに、回収室１２ｂに排液通路１６が接続されて使用済み透析液が排出される。
この状態で所定時間が経過し、所定量の透析液が透析器２に供給されると、制御手段５は、第１透析液チャンバ１１による透析器２に対する透析液の給排動作を、第２透析液チャンバ１２による給排動作に切り替える。すなわち、図３に太線で示すように、第２透析液チャンバ１２の供給室１２ａに供給通路１４を、回収室１２ｂに回収通路１５をそれぞれ接続し、これにより透析器２を経由する閉回路を形成するとともに、点線で示すように、第１透析液チャンバ１１の供給室１１ａに給液通路１３を、回収室１１ｂに排液通路１６をそれぞれ接続する。
【００１６】
上述したようにして第１透析液チャンバ１１による透析液の給排動作と、第２透析液チャンバ１２による透析液の給排動作を交互に切り替えて、透析器２に連続的に透析液を供給して透析治療を行うが、例えば図３に示す状態から図２に示す状態に切り替えた際に、回収弁Ｖ４ａに作動遅れが生じる場合がある。すなわち、制御手段５により、第２透析液チャンバ１２に対応する回収弁Ｖ４ａに閉鎖指令を出して、該回収弁Ｖ４ａの励磁を停止するが、ばね３４の付勢力によるプランジャ３３の移動がスムーズでないと、弁体３１Ｃが弁座３１Ｂに着座して完全に閉鎖状態となるタイミングが遅れ、図４に示すように、回収弁Ｖ４ａの閉鎖後に開放されるべき排液弁Ｖ４ｂが開放してしまい、その後で回収弁Ｖ４ａが閉鎖する場合がある。
この場合のように極めて短い時間であっても、回収弁Ｖ４ａと排液弁Ｖ４ｂとが同時に開放した状態となることがあると、もう一方の第１透析液チャンバ１１において形成される閉回路による除水とは無関係に、使用済み透析液が第２透析液チャンバ１２の回収室１２ｂを通過して排液され、その分が不必要に除水されてしまう。このように、一度の切り替え時に除水される量はわずかであるが、透析治療には数時間を要するので、結果的には目標とする除水量を大きく上回って除水されることになる。
【００１７】
このような開閉弁の閉鎖遅れに起因する除水量の増加は、第１透析掖チャンバ１１の回収弁Ｖ２ａの閉鎖遅れによって発生する場合もあり、また、排掖弁Ｖ２ｂ、Ｖ４ｂの閉鎖遅れによって発生する場合もある。排液弁Ｖ２ｂ、Ｖ４ｂにおいて発生した場合には、排液弁Ｖ２ｂ、Ｖ４ｂが閉鎖する前に回収弁Ｖ２ａ、Ｖ４ａが開放して排液弁と回収弁が同時に開放した状態となり、回収室１１ｂ、１２ｂに貯留されるべき使用済み透析液が不必要に排液されることになる。
このように、回収弁Ｖ２ａ、Ｖ４ａや排液弁Ｖ２ｂ、Ｖ４ｂに閉鎖遅れが生じた場合には、回収室１１ｂ、１２ｂを介して回収通賂１５が排液通路１６に連通してしまうため、閉回路が形成できず回収ポンプ２４の下流側で圧力が低下する。これに伴って回収ポンプ２４の上流側の圧力も低下し、これが圧力検出器２３に検出される。
図６はこの状態を示しており、圧力検出器２３から入力される圧力変動を表す波形に対し、ｔは回収弁Ｖ２ａ、Ｖ４ａや排液弁Ｖ２ｂ、Ｖ４ｂに開放指令を出力するタイミングを示している。これら回収弁Ｖ２ａ、Ｖ４ａまたは排液弁Ｖ２ｂ、Ｖ４ｂが開放されることで、一方の透析液収容容器から他方の透析液収容容器へ動作は切り替わるが、切り替わった際に、既に閉鎖されているべき排液弁Ｖ２ｂ、Ｖ４ｂまたは回収弁Ｖ２ａ、Ｖ４ａに閉鎖遅れが発生した場合には、このタイミングｔから若干遅れて顕著な圧力の低下が検出される。
これは回収弁Ｖ２ａ、Ｖ４ａや排液弁Ｖ２ｂ、Ｖ４ｂは、指令出力から若干のタイムラグを有して開放されるためであり、制御手段５においては、開放指令を出力するタイミングｔから所定問隔Ｔａ毎に圧力の差を求めて圧力変動を認識し、変動幅が予め設定した許容範囲を逸脱することで異常として検出し、警報信号を出力するようにしている。この場合。今回の検出値を前回の検出値で減算することで増減が分かるので、図６で示すように減少幅が許容範囲を逸脱した場合には、回収弁Ｖ２ａ、Ｖ４ａまたは排液弁Ｖ２ｂ、Ｖ４ｂに閉鎖遅れが生じているものと判断する。そして、警報信号の出力に伴って、音声や表示により動作異常の発生を知らせる。
【００１８】
上述のような、開閉弁の閉鎖遅れに起因する動作異常の発生は、回収弁Ｖ２ａ、Ｖ４ａや排液弁Ｖ２ｂ、Ｖ４ｂに限らず、給液弁Ｖ１ａ、Ｖ３ａや供給弁Ｖ１ｂ、Ｖ３ｂにおいても発生することがある。
すなわち、給液弁Ｖｌａ、Ｖ３ａや供給弁Ｖｌｂ、Ｖ３ｂに閉鎖遅れが生じた場合は、これら給液弁Ｖｌａ、Ｖ３ａと供給弁Ｖ１ｂ、Ｖ３ｂが同時に開放した状態となることで、供給室１１ａ、１２ａを介して供給通略１４が給液通路１３に連通してしまい、閉回路が形成できず、給液ポンプ２１の送液圧が直接的に供給通路１４を通して透析器２や回収通路１５に作用する。このように透析液回路側の圧力が高まると、透析器２では除水能力が低下して除水量が減少してしまい、数時問に及ぶ透析治療においては目標とする除水量を大きく下回ることになる。
このような圧力の上昇は圧力検出器２３で検出されるので、この場合にも回収弁Ｖ２ａ、Ｖ４ａや排液弁Ｖ２ｂ、Ｖ４ｂの場合と同様に、開放指令を出力するタイミングｔから所定間隔Ｔａ毎に圧力の差を求めて圧力変動を認識し、変動幅が予め設定した許容範囲を逸脱することで異常として検出することができる。この場合においても、今回の検出値を前回の検出値で減算することで増減が分かるので、増加幅が許容範囲を逸脱することで、給液弁Ｖ１ａ、Ｖ３ａまたは供給弁Ｖｌｂ、Ｖ３ｂに閉鎖遅れが生じているものと判断する。
なお、本実施例においては血液透析装置として、図示しない透析液供給装置から供給される透析液を使用する透析用監視装置について説明したが、透析原液を装置内で希釈して透析液を調製する個人用透析装置に本発明を採用することも可能である。
【符号の説明】
【００１９】
１‥液回路                      ２‥透析器
４‥透析液回路                  ５‥制御手段
１１‥第１透析液チャンバ（一方の透析液収容容器）
１２‥第２透析液チャンバ（他方の透析液収容容器）
１３‥給液通路                １４‥供給通路
１５‥回収通路                １６‥排液通路
２３‥圧力検出器          Ｖ１ａ、Ｖ３ａ‥給液弁（開閉弁）
Ｖ１ｂ、Ｖ３ｂ‥供給弁（開閉弁）
Ｖ２ａ、Ｖ４ａ‥回収弁（開閉弁）
Ｖ２ｂ、Ｖ４ｂ‥排液弁（開閉弁）
【図１】
2016083307.tif 000003
【図２】
2016083307.tif 000004
【図３】
2016083307.tif 000005
【図４】
2016083307.tif 000006
【図５】
2016083307.tif 000007
【図６】
2016083307.tif 000008